(57)【要約】【課題】仕切板が容器本体から外れ難い容器を提供すること。【解決手段】容器１は、容器本体１０が仕切板１１０で仕切られる。容器本体１０は、長辺側側壁部３０と、長辺側側壁部３０の内面３６に形成された一対の仕切支持部７２，７２と、一対の仕切支持部７２，７２の対向面７８，７８で区画され、仕切板１１０が挿入される仕切挿入部７４と、長辺側側壁部３０に形成された係止部７６とを備える。仕切板１１０は、仕切挿入部７４に挿入された状態で、係止部７６に係止される被係止部１３８を備える。【選択図】図１０
2019077454.tif 000002
【特許請求の範囲】
【請求項１】
容器本体が仕切板で仕切られる容器であって、
前記容器本体は、
側壁部と、
前記側壁部の内面に形成された一対の仕切支持部と、
前記一対の仕切支持部の互いに対向する面で区画され、前記仕切板が挿入される仕切挿入部と、
前記側壁部に形成された係止部とを備え、
前記仕切板は、
前記仕切挿入部に挿入された状態で、前記係止部に係止される被係止部を備えたことを特徴とする容器。
【請求項２】
前記係止部は、前記一対の仕切支持部及び前記仕切挿入部に隣接する前記容器本体の前記側壁部の上端部が切り欠かれた状態にあり、
前記被係止部は、前記仕切板の側辺上端部に設けられ、
前記被係止部が前記係止部に係止された状態では、前記被係止部の外面は、前記容器本体の前記側壁部の外面と略面一であることを特徴とする請求項１に記載の容器。
【請求項３】
前記容器は、上下に段積み可能であり、
前記容器本体は、
底壁部と、
前記底壁部の外面に設けられた隣合部とを備え、
前記隣合部は、前記段積み時において、下段側容器本体の前記一対の仕切支持部の非対向面のうち、少なくともいずれか一方の面に対して隣り合うことを特徴とする請求項１又は請求項２に記載の容器。
【請求項４】
前記隣合部は、前記底壁部から立設されたリブを備え、
前記リブの下端面は、前記段積み時に隣り合う前記下段側容器本体の前記仕切支持部の位置から遠ざかるに連れて、前記底壁部に近づくように傾斜していることを特徴とする請求項３に記載の容器。
【発明の詳細な説明】
【技術分野】
【０００１】
本発明は、仕切板を備えた容器に関するものである。
【背景技術】
【０００２】
従来より、仕切板を備えた容器に関し、種々の技術が提案されている。
【０００３】
例えば、下記特許文献１に記載のプラスチック容器は、容器本体の長手方向の内壁面に互いに他と対向しかつ相互に若干の間隔を保って配設された挿入用リブに、収容物品の大きさに応じてピッチ間隔を変える仕切り板を挿入するとき、仕切り板の長手方向の両端縁に設けた挿入ガイドを挿入用リブ間の挿入凹所に挿抜可能に嵌合させるか、あるいはまた、挿入用リブに挿入ガイドの嵌合部を挿抜可能に嵌合せしめることにより、相隣り合う仕切り板のピッチ間隔を大小さまざまのサイズに変更し得ることができる。
【先行技術文献】
【特許文献】
【０００４】
【特許文献１】実公平６−１７７１５号公報
【発明の概要】
【発明が解決しようとする課題】
【０００５】
しかしながら、上記特許文献１に記載のプラスチック容器では、例えば、容器本体がパンパンになるまで容器本体内に収容物品が収容されたり、引出作業時に容器本体の内壁が引っ張られたり、又は容器本体の内壁に衝撃が加えられたりした場合には、容器本体の内壁が変形することによって、仕切り板が容器本体の挿入用リブから外れることがあった。
【０００６】
そこで、本発明は、上述した点を鑑みてなされたものであり、仕切板が容器本体から外れ難い容器を提供することを課題とする。
【課題を解決するための手段】
【０００７】
この課題を解決するためになされた請求項１に係る発明は、容器本体が仕切板で仕切られる容器であって、容器本体は、側壁部と、側壁部の内面に形成された一対の仕切支持部と、一対の仕切支持部の互いに対向する面で区画され、仕切板が挿入される仕切挿入部と、側壁部に形成された係止部とを備え、仕切板は、仕切挿入部に挿入された状態で、係止部に係止される被係止部を備えたことを特徴とする。
【０００８】
請求項２に係る発明は、請求項１に記載の容器であって、係止部は、一対の仕切支持部及び仕切挿入部に隣接する容器本体の側壁部の上端部が切り欠かれた状態にあり、被係止部は、仕切板の側辺上端部に設けられ、被係止部が係止部に係止された状態では、被係止部の外面は、容器本体の側壁部の外面と略面一であることを特徴とする。
【０００９】
請求項３に係る発明は、請求項１又は請求項２に記載の容器であって、容器は、上下に段積み可能であり、容器本体は、底壁部と、底壁部の外面に設けられた隣合部とを備え、隣合部は、段積み時において、下段側容器本体の一対の仕切支持部の非対向面のうち、少なくともいずれか一方の面に対して隣り合うことを特徴とする。
【００１０】
請求項４に係る発明は、請求項３に記載の容器であって、隣合部は、底壁部から立設されたリブを備え、リブの下端面は、段積み時に隣り合う下段側容器本体の仕切支持部の位置から遠ざかるに連れて、底壁部に近づくように傾斜していることを特徴とする。
【発明の効果】
【００１１】
請求項１に係る発明の容器では、容器本体の側壁部の内面に形成された一対の仕切支持部の間であって、一対の仕切支持部の互いに対向する面で区画された仕切挿入部に対して、仕切板が挿入される。これにより、容器本体が仕切板で仕切られる。仕切板が仕切挿入部に挿入された状態では、容器本体の側壁部に形成された係止部に対して、仕切板の被係止部が係止される。このような係止によって、容器本体の側壁部は、容器本体の外方へ移動して開くことが防止され、安定する。そのため、請求項１に係る発明の容器では、仕切板が容器本体の仕切挿入部から外れ難い。
【００１２】
請求項１に係る発明の容器は、棚等に複数陳列された状態で引き出される際において、上述した係止部と被係止部の係止によって、容器本体の側壁部が容器本体の外方へ移動して開くこと、つまり、容器本体の側壁部が膨らむことが防止されるので、そのような棚等からスムーズに引き出されることが可能となると共に、その引き出し作業中において、容器本体内の収容物が、仕切板を超えて一方の収容空間から他方の収容空間へ移動することが防止される。
【００１３】
請求項２に係る発明の容器では、一対の仕切支持部及び仕切挿入部に隣接する容器本体の側壁部の上端部が切り欠かれた状態の係止部に対して、仕切板の側辺上端部に設けられた被係止部が係止される。このようにして、仕切板の被係止部が容器本体の係止部に係止されると、被係止部の外面が容器本体の側壁部の外面と略面一となる。そのため、請求項２に係る発明の容器は、効率よく棚等に並べて複数陳列させることが可能となると共に、棚等に複数陳列された状態で引き出される際において、仕切板の被係止部が隣の容器に引っ掛かることが防止されるので、そのような棚等から一層にスムーズに引き出されることが可能となる。
【００１４】
請求項３に係る発明の容器では、上下の段積み状態において、上段側容器本体の底壁部の外面に設けられた隣合部は、下段側容器本体の一対の仕切支持部の非対向面のうち、少なくともいずれか一方の面に対して隣り合う。そのため、請求項３に係る発明の容器では、上下の段積みが行われると、上段側容器本体の隣合部によって、下段側容器本体の一対の仕切支持部が互いに離間する方向へ移動して開くことが防止されるので、仕切板が容器本体の仕切挿入部から一層に外れ難くなる。
【００１５】
更に、請求項３に係る発明の容器は、上下の段積みが行われると、下段側容器本体の一対の仕切支持部によって、上段側容器本体の隣合部の位置決めが行われ、下段側容器本体と上段側容器本体のガタツキが防止されるので、上下の段積み状態が安定する。
【００１６】
請求項４に係る発明の容器は、上下の段積み状態になると、上段側容器本体の隣合部が備えるリブの下端面は、その隣合部と隣り合う下段側容器本体の仕切支持部の位置から遠ざかるに連れて、その隣合部が設けられた底壁部に近づくように傾斜している。そのため、請求項４に係る発明の容器では、下段側容器本体（の仕切支持部）に載上された上段側容器本体をスライドさせると、下段側容器本体の仕切支持部に対して上段側容器本体（の隣合部）のリブの下端面がスムーズに滑ることが可能となるので、上下の段積みが行われる際の作業性が良好である。
【図面の簡単な説明】
【００１７】
【図１】本発明の実施形態の容器が備える容器本体が表された斜視図である。
【図２】容器本体が底壁部の外面側から表された斜視図である。
【図３】容器本体の一部が拡大されて表された斜視図である。
【図４】容器本体の一部が拡大されて表された平面図である。
【図５】図４の線Ａ−Ａで容器本体を切断した断面が表された図である。
【図６】容器本体の一部が底壁部の外面側から拡大されて表された斜視図である。
【図７】同容器が備える仕切板が表された斜視図である。
【図８】同容器が備える仕切板が表された斜視図である。
【図９】同容器が表された斜視図である。
【図１０】同容器の一部が拡大されて表された斜視図である。
【図１１】同容器の一部が容器本体の底壁部の外面側から拡大されて表された斜視図である。
【図１２】同容器の一部が拡大されて表された平面図である。
【図１３】図１２の線Ｂ−Ｂで同容器を切断した断面が表された図である。
【図１４】同容器が上下に段積みされた状態で表された斜視図である。
【図１５】図１４の線Ｃ−Ｃで同容器を切断した断面が表された図である。
【図１６】図１４の線Ｄ−Ｄで同容器を切断した断面が表された図である。
【図１７】図１４の線Ｅ−Ｅで同容器を切断した断面が表された図である。
【図１８】図１７の断面部分Ｆが拡大されて表された図である。
【発明を実施するための形態】
【００１８】
以下、本発明に係る容器について、具体化した本実施形態に基づき、図面を参照しつつ説明する。本実施形態の容器は、容器本体と仕切板を備え、ポリプロピレン等の樹脂を材料とした金型成形によって形作られている。
【００１９】
（１）容器本体の概要
図１及び図２に表されたように、容器本体１０は、底壁部２０、一対の長辺側側壁部３０，３０、後方短辺側側壁部４０、及び前方短辺側側壁部５０等を備えている。
【００２０】
尚、図１及び図２において、符号Ｄ１の方向は、上下方向（つまり、容器本体１０の高さ方向）を示している。符号Ｄ２の方向は、前後方向（つまり、底壁部２０及び長辺側側壁部３０の幅方向）を示している。符号Ｄ３の方向は、左右方向（つまり、後方短辺側側壁部４０及び前方短辺側側壁部５０の幅方向）を示している。各方向Ｄ１，Ｄ２，Ｄ３は、互いに直交する関係にある。これらの点は、後述する図３乃至図１８においても、同様である。
【００２１】
底壁部２０は、長方形状である。底壁部２０では、相対する一対の長辺から一対の長辺側側壁部３０，３０が上下方向Ｄ１の上方へ延出すると共に、相対する一対の短辺から後方短辺側側壁部４０と前方短辺側側壁部５０が上下方向Ｄ１の上方へ延出している。
【００２２】
尚、一対の長辺側側壁部３０，３０、後方短辺側側壁部４０、及び前方短辺側側壁部５０は、金型成形時の抜き勾配等の観点から、容器本体１０の上方へ上下方向Ｄ１に沿って向かうに連れて、僅かに容器本体１０の外方へ向かうように傾斜している。
【００２３】
底壁部２０の外面２２には、縁周リブ２４、縦リブ２６、及び横リブ２８Ａ，２８Ｂが成形されている。縁周リブ２４は、底壁部２０の長方形状の縁部に沿った状態で立設されている。縦リブ２６は、縁周リブ２４の短辺（つまり、底壁部２０の短辺）を２等分する位置を起点として縁周リブ２４の内側から延設され、縁周リブ２４の長辺（つまり、底壁部２０の長辺と平行な前後方向Ｄ２）に沿った状態で立設されている。横リブ２８Ａ，２８Ｂは、縁周リブ２４の長辺（つまり、底壁部２０の長辺）を３等分する位置を起点として縁周リブ２４の内側から延設され、縁周リブ２４の短辺（つまり、底壁部２０の短辺と平行な左右方向Ｄ３）に沿った状態で立設されている。これにより、縦リブ２６と横リブ２８Ａ，２８Ｂは、縁周リブ２４内において、互いに直交した状態にある。尚、以下の説明では、横リブ２８Ａ，２８Ｂの各々を区別せずに総称して説明する場合には、横リブ２８と表記する。
【００２４】
これに対して、縁周リブ２４の外側では、横リブ２８Ａの両端と対向する位置において、隣合部６０，６０が底壁部２０の外面２２に成形されている。この点は、横リブ２８Ｂについても、同様である。これにより、各隣合部６０は、縁周リブ２４の長辺（つまり、底壁部２０の長辺）を３等分する位置に設けられている。尚、隣合部６０の詳細な説明は、後述する。
【００２５】
後方短辺側側壁部４０及び前方短辺側側壁部５０は、それらの両側辺が一対の長辺側側壁部３０，３０の両側辺に連なっている。底壁部２０の上方には、一対の長辺側側壁部３０，３０の各上端面３２、後方短辺側側壁部４０の上端面４２、及び前方短辺側側壁部５０の上端面５２によって、開口部１２が形成されている。これにより、容器本体１０の上方側が開放されている。
【００２６】
一対の長辺側側壁部３０，３０は、前方短辺側側壁部５０の近傍に位置する部分を除いて、後方短辺側側壁部４０と同じ高さである。これに対して、前方短辺側側壁部５０の高さは、後方短辺側側壁部４０の高さと比べて低い。そのため、一対の長辺側側壁部３０，３０の各上端面３２のうち、前方短辺側側壁部５０の近傍に位置する傾斜部分３２Ａは、前後方向Ｄ２に沿って前方へ向かうに連れて、上下方向Ｄ１の下方へ向かうように傾斜している。これにより、開口部１２の一部である前側開口部１４が、一対の長辺側側壁部３０，３０の各上端面３２の傾斜部分３２Ａと前方短辺側側壁部５０の上端面５２とに囲まれることによって形成され、容器本体１０の前方側上部を開放している。
【００２７】
尚、後方短辺側側壁部４０の上端面４２及び前方短辺側側壁部５０の上端面５２は、後方短辺側側壁部４０及び前方短辺側側壁部５０から容器本体１０の外方へ突出したフランジ部の一部を構成している。
【００２８】
一対の長辺側側壁部３０，３０には、それらの長辺を３等分する位置において、仕切機構７０，７０が配設されている。これにより、一方の長辺側側壁部３０に設けられた仕切機構７０，７０は、他方の長辺側側壁部３０に設けられた仕切機構７０，７０に対して、左右方向Ｄ３で対向している。更に、各仕切機構７０の下方には、各隣合部６０が設けられている。
【００２９】
次に、仕切機構７０について説明する。図３に表されたように、各仕切機構７０は、一対の仕切支持部７２，７２、仕切挿入部７４、及び係止部７６等を備えている。一対の仕切支持部７２，７２は、容器本体１０の長辺側側壁部３０の内面３６において、長辺側側壁部３０の上端面３２の近傍から底壁部２０の長辺に至るまで、上下方向Ｄ１に沿った状態で成形されている。これにより、一対の仕切支持部７２，７２は、長辺側側壁部３０の長辺と平行な前後方向Ｄ２で対向している。
【００３０】
仕切挿入部７４は、一対の仕切支持部７２，７２の各対向面７８（後述する図４参照）で区画された空間である。つまり、仕切挿入部７４は、一対の仕切支持部７２，７２の間に形成されている。係止部７６は、上方側が開放された略コ字の形状であり、長辺側側壁部３０の上端部３８及び一対の仕切支持部７２，７２が切り欠かれたような状態にある。これにより、係止部７６は、仕切挿入部７４と連通する。更に、係止部７６では、仕切挿入部７４が設けられた側とは反対の側が開放されている。
【００３１】
尚、各長辺側側壁部３０の上端部３８は、僅かに容器本体１０の外方へ突出しているが、フランジ部を構成するものではない。本実施形態の容器本体１０では、効率よく棚等に並べて複数陳列させることを優先しているためである。そのため、各長辺側側壁部３０は、その内面３６に一対の仕切支持部７２，７２が立設されているにも拘わらず、外力が作用すると変形し易い。また、各長辺側側壁部３０の上端面３２においては、容器本体１０の内方側の角が無い状態に成形された逃げ面３４が設けられている。
【００３２】
以下、仕切機構７０について、更に詳しく説明する。図４及び図５に表されたように、一対の仕切支持部７２，７２は、対向面７８、非対向面８０、上面８２、第１傾斜面８４、第２傾斜面８６等で構成されている。
【００３３】
対向面７８は、一対の仕切支持部７２，７２が長辺側側壁部３０の長辺と平行な前後方向Ｄ２で互いに対向する側に配設されている。非対向面８０は、長辺側側壁部３０の長辺と平行な前後方向Ｄ２において、対向面７８が設けられた側とは反対の側に成形されている。
【００３４】
上面８２は、長辺側側壁部３０の逃げ面３４の下辺から第１傾斜面８４の上辺まで、容器本体１０の内方へ左右方向Ｄ３に沿って延出した面である。第１傾斜面８４は、上面８２の内辺から第２傾斜面８６の上辺まで延出した面である。第１傾斜面８４は、容器本体１０の下方へ上下方向Ｄ１に沿って向かうに連れて、容器本体１０の内方へ向かうように傾斜している。第２傾斜面８６は、第１傾斜面８４の下辺から底壁部２０まで延出した面である。第２傾斜面８６は、容器本体１０の下方へ上下方向Ｄ１に沿って向かうに連れて、僅かに容器本体１０の内方へ向かうように傾斜している。
【００３５】
尚、第２傾斜面８６の傾斜は、金型成形時の抜き勾配を配慮して設けられている。この点は、一対の対向面７８，７８及び一対の非対向面８０，８０についても、同様である。つまり、一対の対向面７８，７８は、容器本体１０の上方へ上下方向Ｄ１に沿って向かうに連れて、僅かに互いが離間するように傾斜している。これに対して、一対の非対向面８０，８０は、容器本体１０の上方へ上下方向Ｄ１に沿って向かうに連れて、僅かに互いが近付くように傾斜している。
【００３６】
一対の仕切支持部７２，７２の各対向面７８の間には、側面８８、底面９０、及びコーナー面９２が成形されている。側面８８は、長辺側側壁部３０の内側に配設された平面である。側面８８は、長辺側側壁部３０の長辺と平行な前後方向Ｄ２の両側において、各対向面７８に略直角で交わった状態で連なっている。底面９０は、底壁部２０の上側に配設された平面である。底面９０は、底壁部２０の長辺と平行な前後方向Ｄ２の両側において、各対向面７８に略直角で交わった状態で連なっている。コーナー面９２は、側面８８と底面９０の間に配設され、容器本体１０の外方へ向けて突出した曲面である。コーナー面９２は、長辺側側壁部３０及び底壁部２０の各長辺と平行な前後方向Ｄ２の両側において、各対向面７８に略直角で交わった状態で連なっている。
【００３７】
尚、側面８８は、金型成形時の抜き勾配の観点から、容器本体１０の上方へ上下方向Ｄ１に沿って向かうに連れて、僅かに容器本体１０の外方へ向かうように傾斜している。
【００３８】
仕切挿入部７４は、一対の仕切支持部７２，７２の各対向面７８に加えて、側面８８、底面９０、及びコーナー面９２に囲まれることによって形成されている。従って、仕切挿入部７４は、容器本体１０の上方に向かう側と容器本体１０の内方に向かう側とが開放されている。
【００３９】
尚、底壁部２０では、一対の仕切支持部７２，７２の各対向面７８の間を高くするための段差１００を設けることによって、底面９０が設けられた側とは反対の側において、隣合部６０の仕切保持部６８（後述する図６参照）が形成されるスペースを確保している。
【００４０】
係止部７６は、一対の第１側面９４，９４、一対の第２側面９６，９６、及び底面９８で構成されている。一対の第１側面９４，９４は、長辺側側壁部３０の上端部３８及び一対の仕切支持部７２，７２に形成された平面であって、長辺側側壁部３０の長辺と平行な前後方向Ｄ２で対向している。一対の第１側面９４，９４は、それらの下側において、底面９８に略直角で交わった状態で連なっている。これに対して、一対の第１側面９４，９４は、それらの上側において、長辺側側壁部３０の上端面３２と逃げ面３４、及び一対の仕切支持部７２，７２の各上面８２に略直角で交わった状態で連なっている。また、一対の第１側面９４，９４は、容器本体１０の外方側において、長辺側側壁部３０の上端部３８の外面３９に略直角で交わった状態で連なっている。更に、一対の第１側面９４，９４は、容器本体１０の内方側において、一対の第２側面９６，９６に略直角で交わった状態で連なっている。
【００４１】
一対の第２側面９６，９６は、一対の仕切支持部７２，７２において、長辺側側壁部３０の長辺と平行な前後方向Ｄ２に沿って形成された平面であって、仕切挿入部７４を挟んだ状態にある。つまり、一対の第２側面９６，９６は、仕切挿入部７４側において、一対の仕切支持部７２，７２の各対向面７８に略直角で交わった状態で連なっている。また、一対の第２側面９６，９６は、その下側において、底面９８に略直角で交わった状態で連なっている。更に、一対の第２側面９６，９６は、その上側において、一対の仕切支持部７２，７２の各上面８２に略直角で交わった状態で連なっている。
【００４２】
底面９８は、長辺側側壁部３０の上端部３８及び一対の仕切支持部７２，７２において、長辺側側壁部３０の長辺と平行な前後方向Ｄ２に沿って形成された平面であって、一対の第１側面９４，９４の下辺間に設けられている。底面９８は、容器本体１０の外方側において、長辺側側壁部３０の上端部３８の外面３９に略直角で交わった状態で連なっている。また、底面９８は、容器本体１０の内方側において、一対の第２側面９６，９６及び側面８８に略直角で交わった状態で連なっている。更に、底面９８は、容器本体１０の内方側において、一対の第２側面９６，９６の下辺と側面８８の上辺の間で、一対の仕切支持部７２，７２の各対向面７８に略直角で交わった状態で連なっている。
【００４３】
以上より、係止部７６は、長辺側側壁部３０の上端部３８に加え、一対の仕切支持部７２，７２の長辺側側壁部３０側までも切り欠かれたような状態にある。そのため、一対の仕切支持部７２，７２では、長辺側側壁部３０側を補強するため、各傾斜部１０２が成形されている。各傾斜部１０２は、長辺側側壁部３０の内面３６の近傍において、一対の仕切支持部７２，７２の各非対向面８０が、長辺側側壁部３０の内面３６へ左右方向Ｄ３に沿って向かうに連れて、係止部７６から離間する方へ向かうように傾斜したものである。これにより、一対の仕切支持部７２，７２では、長辺側側壁部３０の内面３６の近傍に位置する部分が肉厚にされている。また、一対の仕切支持部７２，７２は、それらの下側において、非対向面８０及び傾斜部１０２から底壁部２０に渡って、肉盛り部１０４が成形されている。これにより、一対の仕切支持部７２，７２は、底壁部２０の近傍に位置する部分が補強されている。
【００４４】
また、係止部７６は、一対の第２側面９６，９６の間において、仕切挿入部７４と連通している。従って、仕切挿入部７４は、その上端部において、容器本体１０の外方に向かう側が係止部７６を介して開放されている。
【００４５】
尚、係止部７６において、一対の第１側面９４，９４は、金型成形時の抜き勾配の観点から、容器本体１０の上方へ上下方向Ｄ１に沿って向かうに連れて、僅かに互いが離間するように傾斜している。同様な観点から、一対の第２側面９６，９６は、容器本体１０の上方へ上下方向Ｄ１に沿って向かうに連れて、僅かに容器本体１０の内方へ向かうように傾斜している。
【００４６】
次に、隣合部６０について説明する。図６に表されたように、各隣合部６０は、一対の対向リブ６２，６２及び一対の傾斜リブ６４，６４等を備えている。一対の対向リブ６２，６２及び一対の傾斜リブ６４，６４は、底壁部２０の外面２２に成形されている。一対の対向リブ６２，６２は、縁周リブ２４において、横リブ２８が設けられた位置から前後方向Ｄ２の両方へ等間隔を置いた位置を起点として、横リブ２８が設けられた内側とは反対の外側から、容器本体１０の外方へ左右方向Ｄ３に沿って延設されている。これにより、一対の対向リブ６２，６２は、前後方向Ｄ２で対向している。
【００４７】
一対の傾斜リブ６４，６４は、一対の対向リブ６２，６２において、それらの先端を起点として、一対の対向リブ６２，６２が互いに対向する側とは反対の側から、前後方向Ｄ２に沿って延設されている。一対の傾斜リブ６４，６４は、それらの下端面６６が、対向リブ６２から離間するに連れて、底壁部２０へ向かうように傾斜している。
【００４８】
各隣合部６０では、一対の対向リブ６２，６２の間において、仕切保持部６８が形成されている。仕切保持部６８は、一対の対向リブ６２，６２に加えて、上面２１及び側面２９に囲まれた空間である。上面２１は、底壁部２０に形成された平面である。側面２９は、縁周リブ２４の外側に形成された平面である。側面２９は、その上側において、上面２１に略直角で交わった状態で連なっている。そのため、仕切保持部６８は、容器本体１０の外方に向かう側と容器本体１０の下方に向かう側とが開放されている。
【００４９】
このようにして、各隣合部６０は、一対の対向リブ６２，６２、一対の傾斜リブ６４，６４、上面２１、及び側面２９等で構成されている。
【００５０】
（２）仕切板の概要
図７及び図８に表されたように、仕切板１１０は、略平板状である。仕切板１１０の縁周は、前後方向Ｄ２へ向けて突出した突縁状に成形されている。仕切板１１０の下辺には、第１下面１１２、及び一対の第２下面１１４，１１４が設けられている。第１下面１１２は、仕切板１１０の下辺中央において、左右方向Ｄ３に沿って設けられている。各第２下面１１４は、仕切板１１０の下辺において、第１下面１１２の左右方向Ｄ３の両方側に設けられている。第１下面１１２と各第２下面１１４の間には、一対の段差１１６，１１６が設けられている。これにより、各第２下面１１４は、第１下面１１２と比べ、上下方向Ｄ１の上方に配設されている。
【００５１】
仕切板１１０の上辺には、第１上面１１８、及び一対の第２上面１２０，１２０が設けられている。第１上面１１８は、仕切板１１０の上辺中央において、左右方向Ｄ３に沿って設けられている。一対の第２上面１２０，１２０は、仕切板１１０の上辺において、第１上面１１８の左右方向Ｄ３の両方側に設けられている。第１上面１１８と各第２上面１２０の間には、一対の傾斜面１２２，１２２が設けられている。各傾斜面１２２は、仕切板１１０の外方へ左右方向Ｄ３に沿って向かうに連れて、上下方向Ｄ１の上方へ向かうように傾斜している。これにより、各第２上面１２０は、第１上面１１８と比べ、上下方向Ｄ１の上方に配設されている。
【００５２】
仕切板１１０の両側辺には、第１側面１２４、第２側面１２６、及び第３側面１２８が設けられている。第１側面１２４は、第２下面１１４に略直角で交わった状態で連なると共に、第２下面１１４から上下方向Ｄ１に沿って、仕切板１１０の側辺上端部１３０まで延出している。第１側面１２４は、仕切板１１０の上方へ上下方向Ｄ１に沿って向かうに連れて、僅かに仕切板１１０の外方へ向かうように傾斜している。第２側面１２６は、仕切板１１０の側辺において、第１側面１２４の上下方向Ｄ１の上方側に設けられている。第１側面１２４と第２側面１２６の間には、傾斜面１３２が設けられている。傾斜面１３２は、仕切板１１０の上方へ上下方向Ｄ１に沿って向かうに連れて、仕切板１１０の外方へ向かうように傾斜している。これにより、第２側面１２６は、第１側面１２４と比べ、仕切板１１０の外方に配設されている。
【００５３】
第３側面１２８は、第２上面１２０に略直角で交わった状態で連なると共に、側辺上端部１３０において、第２上面１２０から仕切板１１０の下方へ上下方向Ｄ１に沿って延出している。側辺上端部１３０では、第３側面１２８と第２側面１２６の間において、段差１３４が設けられている。これにより、第３側面１２８は、第２側面１２６と比べ、仕切板１１０の外方に配設されている。
【００５４】
更に、側辺上端部１３０では、第３側面１２８の前後方向Ｄ２の両方側において、前後方向Ｄ２の両方へ向けて突出した一対の突出部１３６，１３６が成形されている。各突出部１３６は、第３側面１２８、段差１３４、及び第２上面１２０と共に、被係止部１３８を構成している。つまり、被係止部１３８は、仕切板１１０の両側辺において、側辺上端部１３０に設けられている。尚、各突出部１３６は、その左右方向Ｄ３側の側面（仕切板１１０の外方側の側面）が第３側面１２８とは段差が無い略フラットな状態である。更に、各突出部１３６は、その上面が第２上面１２０とは段差が無い略フラットな状態である。
【００５５】
（３）容器の概要
図９に表されたように、本実施形態の容器１では、容器本体１０の各長辺側側壁部３０の間において、左右方向Ｄ３で対向する一対の仕切機構７０，７０により、仕切板１１０が着脱される。各仕切機構７０では、仕切板１１０が、容器本体１０の開口部１２から一対の仕切支持部７２，７２の間（つまり、仕切挿入部７４）に差し込まれる。更に、仕切板１１０が、一対の仕切支持部７２，７２の間（つまり、仕切挿入部７４）から容器本体１０の開口部１２へ抜き出される。
【００５６】
一対の仕切機構７０，７０は、２組設けられている。従って、各仕切機構７０において仕切板１１０が各仕切支持部７２の間（つまり、仕切挿入部７４）に差し込まれると、容器本体１０は、２枚の仕切板１１０，１１０によって、３つの収容空間１４０，１４２，１４４に区画される。各収容空間１４０，１４２，１４４には、ボルトやネジ等の小物を分別して収納させることが可能である。
【００５７】
図１０及び図１１に表されたように、本実施形態の容器１では、仕切板１１０が各仕切支持部７２の間（つまり、仕切挿入部７４）に差し込まれると、容器本体１０の長辺側側壁部３０に設けられた係止部７６に対して、仕切板１１０の被係止部１３８が係止される。
【００５８】
仕切板１１０の被係止部１３８が容器本体１０の係止部７６に係止された状態では、被係止部１３８を構成する第３側面１２８及び各突出部１３６が、切り欠き形状の係止部７６の中に納められると共に、長辺側側壁部３０の上端部３８の外面３９から僅かに容器本体１０の内方へずれた状態で配置される。つまり、被係止部１３８を構成する第３側面１２８、及び各突出部１３６の左右方向Ｄ３側の側面（仕切板１１０の外方側の側面）は、長辺側側壁部３０の上端部３８の外面３９と略面一である。
【００５９】
更に、仕切板１１０の被係止部１３８が容器本体１０の係止部７６に係止された状態では、被係止部１３８を構成する第２上面１２０、及び各突出部１３６の上面は、各仕切支持部７２の上面８２と略面一の状態にある。
【００６０】
図１２に表されたように、本実施形態の容器１では、仕切板１１０の被係止部１３８が容器本体１０の係止部７６の中に納められると、係止部７６を形成する各第１側面９４及び各第２側面９６に対して、被係止部１３８を構成する各突出部１３６の前後方向Ｄ２側の側面、及び左右方向Ｄ３側の側面（仕切板１１０の内方側の側面）が当接する。これにより、仕切板１１０の被係止部１３８が容器本体１０の係止部７６に係り合って止まる。
【００６１】
このような係止は、仕切板１１０の左右方向Ｄ３の両方において、各側辺上端部１３０で行われる。そのため、仕切板１１０は、左右方向Ｄ３に沿って外力が作用しても、容器本体１０の内方又は外方へ動くことがない。
【００６２】
図１３に表されたように、本実施形態の容器１では、仕切板１１０が各仕切支持部７２の間に差し込まれることによって、つまり、仕切板１１０の側辺部が仕切挿入部７４に挿入されることによって、仕切板１１０の被係止部１３８が容器本体１０の係止部７６に係止される。その際、仕切板１１０の下辺側では、仕切板１１０の第１下面１１２が容器本体１０の底壁部２０に当接し、仕切板１１０の第２下面１１４が容器本体１０の底面９０に当接し、仕切板１１０の段差１１６と容器本体１０の段差１００とが遊嵌する。
【００６３】
更に、仕切板１１０の側辺側では、被係止部１３８を構成する段差１３４が係止部７６の底面９８に係合し、仕切板１１０の第１側面１２４が、仕切挿入部７４を囲む長辺側側壁部３０の側面８８と対向している。仕切板１１０の第１側面１２４と、長辺側側壁部３０の側面８８とは、容器本体１０の上方へ上下方向Ｄ１に沿って向かうに連れて、僅かに容器本体１０の外方へ向かうように傾斜している。但し、その傾きの度合いは、長辺側側壁部３０の側面８８の方よりも、仕切板１１０の第１側面１２４の方が大きい。そのため、仕切板１１０は、容器本体１０の上方から仕切挿入部７４にスムーズに挿入させることが可能である。
【００６４】
これに対して、仕切板１１０の被係止部１３８と第１側面１２４の間では、仕切板１１０の第２側面１２６が、仕切挿入部７４を囲む長辺側側壁部３０の側面８８に圧接している。そのため、仕切板１１０の左右方向Ｄ３のガタツキが防止され、ひいては、仕切板１１０が容器本体１０の内方又は外方へ動くことが一層に防止される。更に、長辺側側壁部３０の上端部３８が容器本体１０の内方へ反ることが防止される。
【００６５】
尚、仕切板１１０の被係止部１３８が容器本体１０の係止部７６に係止された状態では、仕切板１１０の上辺を構成する第１上面１１８、第２上面１２０、及び傾斜面１２２は、容器本体１０の後方短辺側側壁部４０の上端面４２及び長辺側側壁部３０の上端面３２より、上下方向Ｄ１の下方に配置される。
【００６６】
（４）段積み時の容器の構成
本実施形態の容器１は、上下に段積み可能である。以下では、段積み時の下段側容器と上段側容器とについて説明するが、上記容器１と実質的に共通する部分には同一の符号を付することによって、詳しい説明を省略する。更に、下段側容器に関する符号には英文字の「Ｌ」を添付し、上段側容器に関する符号には英文字の「Ｕ」を添付する。
【００６７】
段積み時においては、図１４に表されたように、下段側容器１Ｌの容器本体１０Ｌに対して、上段側容器１Ｕの容器本体１０Ｕが載せられる。その際には、図１５に表されたように、下段側容器１Ｌにおいて、容器本体１０Ｌの係止部７６Ｌに仕切板１１０Ｌの被係止部１３８Ｌが係止された状態にあり、そのような状態の被係止部１３８Ｌを構成する第２上面１２０Ｌに対して、上段側容器１Ｕの容器本体１０Ｕの隣合部６０Ｕを構成する上面２１Ｕが載上する。
【００６８】
また、下段側容器１Ｌの仕切板１１０Ｌの傾斜面１２２Ｌに対し、上段側容器１Ｕの容器本体１０Ｕの隣合部６０Ｕを構成する側面２９Ｕが間隔を置いて左右方向Ｄ３で対向する。更に、下段側容器１Ｌの仕切板１１０Ｌの第１上面１１８Ｌに対し、上段側容器１Ｕの容器本体１０Ｕの横リブ２８Ｕ及び縁周リブ２４Ｕが間隔を置いて上下方向Ｄ１で対向する。この点は、上段側容器１Ｕの容器本体１０Ｕの縦リブ２６Ｕにおいても、同様である。これにより、下段側容器１Ｌに上段側容器１Ｕが段積みされた状態では、下段側容器１Ｌの仕切板１１０Ｌは、上段側容器１Ｕの容器本体１０Ｕの縦リブ２６Ｕ、横リブ２８Ｕ、及び縁周リブ２４Ｕに突き当たらない。
【００６９】
更に、図１６に表されたように、下段側容器１Ｌの仕切支持部７２Ｌの上面８２Ｌにおいて、上段側容器１Ｕの容器本体１０Ｕの隣合部６０Ｕを構成する上面２１Ｕが載上する。
【００７０】
このようにして、段積みされた時の下段側容器１Ｌでは、容器本体１０Ｌの一対の仕切支持部７２Ｌ，７２Ｌの各上面８２Ｌ、及び一対の仕切支持部７２Ｌ，７２Ｌの間（つまり、仕切挿入部７４Ｌ）に差し込まれた仕切板１１０Ｌの第２上面１２０Ｌにおいて、上段側容器１Ｕの容器本体１０Ｕの隣合部６０Ｕを構成する上面２１Ｕが載上する。これにより、下段側容器１Ｌに対する上段側容器１Ｕの段積みが安定する。
【００７１】
但し、下段側容器１Ｌに対する上段側容器１Ｕの段積みが安定するのであれば、上段側容器１Ｕの容器本体１０Ｕの隣合部６０Ｕを構成する上面２１Ｕは、下段側容器１Ｌにおいて、容器本体１０Ｌの一対の仕切支持部７２Ｌ，７２Ｌのいずれかの上面８２Ｌのみに載上してもよいし、一対の仕切支持部７２Ｌ，７２Ｌの間（つまり、仕切挿入部７４Ｌ）に差し込まれた仕切板１１０Ｌの第２上面１２０Ｌのみに載上してもよい。
【００７２】
尚、段積み時においては、下段側容器１Ｌの仕切支持部７２Ｌの第１傾斜面８４Ｌに対して、上段側容器１Ｕの容器本体１０Ｕの隣合部６０Ｕを構成する側面２９Ｕが間隔を置いて左右方向Ｄ３で対向する。これにより、下段側容器１Ｌに上段側容器１Ｕが段積みされた状態では、下段側容器１Ｌの各仕切支持部７２Ｌは、上段側容器１Ｕの容器本体１０Ｕの縦リブ２６Ｕ、横リブ２８Ｕ、及び縁周リブ２４Ｕに突き当たらない。
【００７３】
更に、上段側容器１Ｕが段積みされた下段側容器１Ｌでは、容器本体１０Ｌの長辺側側壁部３０Ｌの逃げ面３４によって、上段側容器１Ｕの容器本体１０Ｕの長辺側側壁部３０Ｕとの干渉を防止している。
【００７４】
図１７及び図１８に表されたように、下段側容器１Ｌに上段側容器１Ｕが段積みされた状態では、上段側容器１Ｕの容器本体１０Ｕの隣合部６０Ｕを構成する仕切保持部６８Ｕにおいて、下段側容器１Ｌの容器本体１０Ｌの一対の仕切支持部７２Ｌ，７２Ｌ、及び一対の仕切支持部７２Ｌ，７２Ｌの間（つまり、仕切挿入部７４Ｌ）に差し込まれた仕切板１１０Ｌが遊嵌されている。これにより、上段側容器１Ｕの容器本体１０Ｕでは、隣合部６０Ｕの各対向リブ６２Ｕ，６２Ｕに対して、下段側容器１Ｌの容器本体１０Ｌの一対の仕切支持部７２Ｌ，７２Ｌの各非対向面８０Ｌが前後方向Ｄ２で隣り合う。
【００７５】
更に、上段側容器１Ｕの容器本体１０Ｕの隣合部６０Ｕを構成する傾斜リブ６４Ｕの下端面６６Ｕは、下段側容器１Ｌの容器本体１０Ｌの一対の仕切支持部７２Ｌ，７２Ｌの各非対向面８０Ｌから遠ざかるに連れて、上段側容器１Ｕの容器本体１０Ｕの底壁部２０Ｕに近づくように傾斜している。
【００７６】
このようにして、段積み時では、下段側容器１Ｌの容器本体１０Ｌの一対の仕切支持部７２Ｌ，７２Ｌは、上段側容器１Ｕの容器本体１０Ｕの隣合部６０Ｕを構成する仕切保持部６８Ｕに遊嵌され、上段側容器１Ｕの容器本体１０Ｕの隣合部６０Ｕを構成する一対の対向リブ６２Ｕ，６２Ｕ、上面２１Ｕ、及び側面２９に囲まれる。そのため、下段側容器１Ｌに上段側容器１Ｕが段積みされた状態では、下段側容器１Ｌの容器本体１０Ｌの前方側上部が前側開口部１４Ｌで開放されているにも拘わらず、下段側容器１Ｌに対する上段側容器１Ｕの段積みが安定する。
【００７７】
（５）まとめ
以上詳細に説明した通り、本実施形態の容器１では、容器本体１０の各長辺側側壁部３０の内面３６に成形された一対の仕切支持部７２，７２の間であって、一対の仕切支持部７２，７２の各対向面７８，７８で区画された仕切挿入部７４に対して、仕切板１１０が挿入される。これにより、容器本体１０が仕切板１１０で仕切られる。仕切板１１０が仕切挿入部７４に挿入された状態では、容器本体１０の各長辺側側壁部３０に形成された係止部７６に対して、仕切板１１０の被係止部１３８が係止される。このような係止によって、容器本体１０の各長辺側側壁部３０は、容器本体１０の外方へ移動して開くことが防止され、安定する。そのため、本実施形態の容器１では、仕切板１１０が容器本体１０の仕切挿入部７４から外れ難い。
【００７８】
更に、本実施形態の容器１は、棚等に複数陳列された状態で引き出される際において、上述した係止部７６と被係止部１３８の係止によって、容器本体１０の各長辺側側壁部３０の外方へ移動して開くこと、つまり、容器本体１０の各長辺側側壁部３０が膨らむことが防止されるので、そのような棚等からスムーズに引き出されることが可能となると共に、その引き出し作業中において、容器本体１０内の収容物が、仕切板１１０を超えて一方の収容空間１４０，１４２，１４４から他方の収容空間１４０，１４２，１４４へ移動することが防止される。
【００７９】
本実施形態の容器１では、一対の仕切支持部７２，７２及び仕切挿入部７４に隣接する、容器本体１０の各長辺側側壁部３０の上端部３８等が切り欠かれたような状態の係止部７６に対して、仕切板１１０の側辺上端部１３０に設けられた被係止部１３８が係止される。このようにして、仕切板１１０の被係止部１３８が容器本体１０の係止部７６に係止されると、被係止部１３８を構成する第３側面１２８、及び各突出部１３６の左右方向Ｄ３側の側面（仕切板１１０の外方側の側面）が、長辺側側壁部３０の上端部３８の外面３９と略面一となる。そのため、本実施形態の容器１は、効率よく棚等に並べて複数陳列させることが可能となると共に、棚等に複数陳列された状態で引き出される際において、仕切板１１０の被係止部１３８が隣の容器１に引っ掛かることが防止されるので、そのような棚等から一層にスムーズに引き出されることが可能となる。
【００８０】
本実施形態の容器１では、上下の段積み状態において、上段側容器１Ｕの容器本体１０Ｕの底壁部２０Ｕの外面２２Ｕに設けられた隣合部６０Ｕの各対向リブ６２Ｕは、下段側容器１Ｌの容器本体１０Ｌの一対の仕切支持部７２Ｌ，７２Ｌの各非対向面８０Ｌに対して前後方向Ｄ２で隣り合う。そのため、本実施形態の容器１では、上下の段積みが行われると、上段側容器１Ｕの容器本体１０Ｕの隣合部６０Ｕによって、下段側容器１Ｌの容器本体１０Ｌの一対の仕切支持部７２Ｌ，７２Ｌが互いに離間する方向（つまり、前後方向Ｄ２）へ移動して開くことが防止されるので、仕切板１１０Ｌが容器本体１０Ｌの仕切挿入部７４Ｌから一層に外れ難くなる。
【００８１】
更に、本実施形態の容器１は、上下の段積みが行われると、下段側容器１Ｌの容器本体１０Ｌの一対の仕切支持部７２Ｌ，７２Ｌによって、上段側容器１Ｕの容器本体１０Ｕの隣合部６０Ｕの位置決めが行われ、下段側容器１Ｌの容器本体１０Ｌと上段側容器１Ｕの容器本体１０Ｕのガタツキが防止されるので、上下の段積み状態が安定する。
【００８２】
本実施形態の容器１は、上下の段積み状態になると、上段側容器１Ｕの容器本体１０Ｕの隣合部６０Ｕを構成する傾斜リブ６４Ｕの下端面６６Ｕは、その隣合部６０Ｕと隣り合う下段側容器１Ｌの容器本体１０Ｌの仕切支持部７２Ｌの位置から遠ざかるに連れて、その隣合部６０Ｕが設けられた底壁部２０Ｌに近づくように傾斜している。
【００８３】
そのため、本実施形態の容器１では、段積み時において、下段側容器１Ｌの容器本体１０Ｌ（の仕切支持部７２Ｌ）に載上された上段側容器１Ｕの容器本体１０Ｕをスライドさせると、下段側容器１Ｌの容器本体１０Ｌの仕切支持部７２Ｌに対して、上段側容器１Ｕの容器本体１０Ｕ（の隣合部６０Ｕ）の傾斜リブ６４Ｕの下端面６６Ｕがスムーズに滑ることが可能となるので、上下の段積みが行われる際の作業性が良好である。
【００８４】
ちなみに、本実施形態において、容器本体１０Ｌは、「下段側容器本体」の一例である。長辺側側壁部３０は、「側壁部」の一例である。長辺側側壁部３０の上端部３８の外面３９は「側壁部の外面」の一例である。隣合部６０の傾斜リブ６４は、「リブ」の一例である。各対向面７８，７８は、「一対の仕切支持部の互いに対向する面」の一例である。各非対向面８０，８０は、「一対の仕切支持部の非対向面」の一例である。仕切板１１０の第３側面１２８、及び各突出部１３６の左右方向Ｄ３側の側面（仕切板１１０の外方側の側面）は、「被係止部の外面」の一例である。
【００８５】
（６）変更例
尚、本発明は上記実施形態に限定されるものでなく、その趣旨を逸脱しない範囲で様々な変更が可能である。
例えば、本実施形態の容器１は、直方体状に形作られているが、立方体状に形作られてもよい。
【００８６】
また、本実施形態の容器１では、仕切板１１０の被係止部１３８が容器本体１０の係止部７６に係止された状態において、被係止部１３８を構成する第３側面１２８、及び各突出部１３６の左右方向Ｄ３側の側面（仕切板１１０の外方側の側面）が、長辺側側壁部３０の上端部３８の外面３９とは段差が無いフラットな状態、つまり面一であってもよいし、長辺側側壁部３０の上端部３８の外面３９から僅かに容器本体１０の外方へずれた状態で配置されてもよい。
【００８７】
また、本実施形態の容器１において、容器本体１０の係止部７６は、長辺側側壁部３０の上端部３８のみが切り欠かれた状態であってもよい。
【００８８】
また、下段側容器１Ｌに上段側容器１Ｕが段積みされた状態では、上段側容器１Ｕの容器本体１０Ｕの隣合部６０Ｕの各対向リブ６２Ｕ，６２Ｕに対して、下段側容器１Ｌの容器本体１０Ｌの一対の仕切支持部７２Ｌ，７２Ｌの各非対向面８０Ｌが隣接してもよい。
【００８９】
また、本実施形態の容器１では、長辺側側壁部３０の下辺側に前後方向Ｄ２に沿って設けられた一対の隣合部６０，６０において、横リブ２８Ａ，２８Ｂの対向側（つまり、容器本体１０の内方側）の対向リブ６２及び傾斜リブ６４を省いてもよいし、あるいは、横リブ２８Ａ，２８Ｂの非対向側（つまり、容器本体１０の外方側）の対向リブ６２及び傾斜リブ６４を省いてもよい。
【符号の説明】
【００９０】
１    容器
１０    容器本体
１０Ｌ  下段側容器の容器本体
２０    底壁部
２２    底壁部の外面
３０    長辺側側壁部
３６    長辺側側壁部の内面
３８    長辺側側壁部の上端部
３９    長辺側側壁部の上端部の外面
６０    隣合部
６４    隣合部の傾斜リブ
６６    隣合部の傾斜リブの下端面
７２    一対の仕切支持部
７４    仕切挿入部
７６    係止部
７８    一対の仕切支持部の対向面
８０    一対の仕切支持部の非対向面
１１０  仕切板
１２８  第３側面
１３０  側辺上端部
１３６  突出部
１３８  被係止部
【図１】
2019077454.tif 000003
【図２】
2019077454.tif 000004
【図３】
2019077454.tif 000005
【図４】
2019077454.tif 000006
【図５】
2019077454.tif 000007
【図６】
2019077454.tif 000008
【図７】
2019077454.tif 000009
【図８】
2019077454.tif 000010
【図９】
2019077454.tif 000011
【図１０】
2019077454.tif 000012
【図１１】
2019077454.tif 000013
【図１２】
2019077454.tif 000014
【図１３】
2019077454.tif 000015
【図１４】
2019077454.tif 000016
【図１５】
2019077454.tif 000017
【図１６】
2019077454.tif 000018
【図１７】
2019077454.tif 000019
【図１８】
2019077454.tif 000020